【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
端と端とを接するよう配置された複数のステント本体（２３２，２３４）を含む構造（２３０）を備える医療用器具であって、
前記構造における互いに隣接するステント本体が、前記互いに隣接するステント本体の間に配置された分離可能な接続部分（２４０）によって接続され、前記構造の端部にある前記ステント本体の少なくとも１つが、前記構造の端部にある分離可能な端部分（２６０，２６２）を備え、
前記分離可能な接続部分（２４０）が、前記互いに隣接するステント本体の間に配置されるチューブ（２４２）と、前記チューブを前記互いに隣接するステント本体の一方に接続する第１ゲート（２４４）と、前記チューブを前記互いに隣接するステント本体の他方に接続する第２ゲート（２５０）とを備え、
前記第１ゲートおよび前記第２ゲートが、前記互いに隣接するステント本体から分離または前記第１ゲートおよび前記第２ゲートの一部に沿って破断するように構成され、
前記チューブは、患者に埋め込まれるべきステントの最終生成物の部分ではない、医療用器具。
【請求項２】
前記複数のステント本体内に配置されたマンドレル（３２０）をさらに備え、
前記マンドレルが、長尺の部材（３２２）と、前記長尺の部材の周りに配置された少なくとも１つのディスク（３２４）とを備え、前記ディスクが、前記構造のコーティング中に前記構造を支持するために前記分離可能な端部分に係合する、請求項１に記載の医療用器具。
【請求項３】
前記少なくとも１つのディスク（３２４Ｂ）が、少なくとも１つの分離可能な接続部分に係合する、請求項２に記載の医療用器具。
【請求項４】
前記長尺の部材の少なくとも一方の端部が、前記構造のコーティング中に、前記マンドレルおよび当該医療用器具を回転させる回転可能な部材（３５４）と係合されている、請求項２に記載の医療用器具。
【請求項５】
前記マンドレルが、前記ステント本体の少なくとも１つと係合しない、請求項２に記載の医療用器具。
【請求項６】
前記分離可能な端部分が、前記構造のコーティング中に、当該医療用器具を回転させる回転可能な要素（１０２）に係合する、請求項１に記載の医療用器具。
【請求項７】
前記分離可能な端部分（２６０，２６２）が、ゲート（２６６，２７４）とチューブ（２６４，２７２）とを備え、
前記ゲート（２６６，２７４）の一方の端部において、前記構造の端部にある前記ステント本体の少なくとも１つに接続され、前記ステント本体から分離または前記ゲートの一部に沿って破断するように構成され、
前記チューブが、前記ゲートの他方の端部に配置され、コーティング装置（１００）の構成要素（３８）に連結するように構成される、請求項１に記載の医療用器具。
【請求項８】
前記分離可能な端部分（２６０，２６２）が、コーティング装置（１００）の支持要素（３８）に係合し、前記ステント本体が、いずれの支持要素にも係合しない、請求項１に記載の医療用器具。
【請求項９】
複数のステントのコーティング方法であって、
端と端とを接するように配置された複数のステント本体（２３２，２３４）を含む構造（２３０）であって、前記構造に沿って互いに隣接するステント本体が、前記互いに隣接するステント本体の間に配置された分離可能な接続部分（２４０）によって接続される前記構造を用意するステップと、
前記複数のステント本体にコーティングを施すステップと、
前記複数のステント本体を切断するために第１ゲート（２４２）および第２ゲート（２５０）を分離するステップとを含み、
前記分離可能な接続部分は、前記互いに隣接するステント本体の間に配置されるチューブ（２４２）と、前記チューブを前記互いに隣接するステント本体の一方に接続する前記第１ゲートと、前記チューブを前記互いに隣接するステント本体の他方に接続する前記第２ゲートとを備え、前記第１ゲートおよび前記第２ゲートは、前記互いに隣接するステント本体から分離または前記第１ゲートおよび前記第２ゲートの一部に沿って破断するように構成されるものであり、
前記チューブ（２４２）は、患者に埋め込まれるべきステントの最終生成物の部分ではない、前記方法。
【請求項１０】
前記構造の端部にある前記ステント本体の少なくとも１つが、前記構造の端部にある分離可能な端部分（２６０，２６２）を備える、請求項９に記載の方法。
【請求項１１】
コーティングを施した後に、前記構造の端部にある前記ステント本体の少なくとも１つから分離可能な端部を分離するステップをさらに含む、請求項１０に記載の方法。
【請求項１２】
前記分離可能な端部分が、前記コーティングを施している間に前記構造を支持および回転させる回転可能な部材上に装着され、前記回転可能な部材（３２４Ａ，３２４Ｃ）が、いずれの前記ステント本体にも接触しない、請求項１０に記載の方法。
【請求項１３】
前記構造内に配置されたマンドレル（３２０）が、前記コーティングを施している間に前記構造を支持するために前記構造の各端部にある前記分離可能な端部分（２６０，２６２）に係合する、請求項１０に記載の方法。
【請求項１４】
前記マンドレルの少なくとも一方の端部が、前記コーティングを施している間に、前記マンドレルを回転させる回転可能な部材（３５４）と前記構造とを係合する、請求項１３に記載の方法。
【手続補正２】
【補正対象書類名】明細書
【補正対象項目名】００５６
【補正方法】変更
【補正の内容】
【００５６】
以上の詳細な説明から、当業者の分野内で本発明の多数の変更、適応および変型がなされることは明らかであろう。本発明の目的は、ここに開示した異なる種または実施形態からの要素の任意の組合せと同様に、部分組立品、組立品および方法を含む。しかし、このような変形の全ては、本発明の精神を逸脱しないものであるとみなされる。
なお、出願当初の特許請求の範囲の記載事項をそのまま付記しておく。
［１］
端と端とを接するよう配置された複数のステント本体を含む構造を備える医療用器具であって、
前記構造における互いに隣接するステント本体が、前記互いに隣接するステント本体の間に配置された分離可能な接続部分によって接続され、前記構造の端部にある前記ステント本体の少なくとも１つが、前記構造の端部にある分離可能な端部分を備える、医療用器具。
［２］
前記複数のステント本体内に配置されたマンドレルをさらに備え、
前記マンドレルが、長尺の部材と、前記長尺の部材の周りに配置された少なくとも１つのディスクとを備え、前記ディスクが、前記構造のコーティング中に前記構造を支持するために前記分離可能な端部分に係合する、請求項１に記載の医療用器具。
［３］
前記ディスクの少なくとも１つが、少なくとも１つの分離可能な接続部分に係合する、請求項２に記載の医療用器具。
［４］
前記長尺の部材の少なくとも一方の端部が、前記構造のコーティング中に、前記マンドレルおよび当該医療用器具を回転させる回転可能な部材と係合されている、請求項２に記載の医療用器具。
［５］
前記マンドレルが、前記ステント本体の少なくとも１つと係合しない、請求項２に記載の医療用器具。
［６］
前記分離可能な端部分が、前記構造のコーティング中に、当該医療用器具を回転させる回転可能な要素に係合する、請求項１に記載の医療用器具。
［７］
前記端部分が、ゲートと、タブまたはチューブとを備え、
前記ゲートの一方の端部において、前記構造の端部にある前記ステント本体の少なくとも１つに接続され、前記本体から分離または前記ゲートの一部に沿って破断するように構成され、前記ゲートと、
前記タブまたは前記チューブが、前記ゲートの他方の端部に配置され、コーティング装置の構成要素に連結するように構成される、請求項１に記載の医療用器具。
［８］
前記端部分が、コーティング装置の支持要素に係合し、前記ステント本体が、いずれの支持要素にも係合しない、請求項１に記載の医療用器具。
［９］
前記接続部分が、
前記互いに隣接するステント本体の間に配置されるタブまたはチューブと、
前記タブまたは前記チューブを前記互いに隣接するステント本体の一方に接続する第１ゲートと、
前記タブまたは前記チューブを前記互いに隣接するステント本体の他方に接続する第２ゲートとを備え、
前記第１ゲートおよび前記第２ゲートが、前記互いに隣接するステント本体から分離または前記第１ゲートおよび前記第２ゲートの一部に沿って破断するように構成される、請求項１に記載の医療用器具。
［１０］
複数のステントのコーティング方法であって、
端と端とを接するように配置された複数のステント本体を含む構造であって、前記構造に沿って互いに隣接するステント本体が、前記互いに隣接するステント本体の間に配置された分離可能な接続部分によって接続される前記構造を用意するステップと、
前記複数のステント本体にコーティングを施すステップと、
前記複数のステント本体を切断するために前記分離可能な接続部分を分離するステップとを含む方法。
［１１］
前記構造の端部にある前記ステント本体の少なくとも１つが、前記構造の端部にある分離可能な端部分を備える、請求項１０に記載の方法。
［１２］
コーティングを施した後に、前記構造の端部にある前記ステント本体の少なくとも１つから分離可能な端部を分離するステップをさらに含む、請求項１１に記載の方法。
［１３］
前記分離可能な端部分が、前記コーティングを施している間に前記構造を支持および回転させる回転可能な部材上に装着され、前記回転可能な部材が、いずれの前記ステント本体にも接触しない、請求項１１に記載の方法。
［１４］
前記構造内に配置されたマンドレルが、前記コーティングを施している間に前記構造を支持するために前記構造の各端部にある前記端部分に係合する、請求項１１に記載の方法。
［１５］
前記マンドレルの少なくとも一方の端部が、前記コーティングを施している間に、前記マンドレルを回転させる回転可能な部材と前記構造とを係合する、請求項１４に記載の方法。